(57)【要約】      （修正有）【課題】同時に複数の利用者に再生音声を提供できる携帯メディア再生システムを提供する。【解決手段】携帯メディアプレーヤを挿入することができる携帯メディア再生システムである。携帯メディア再生システムは、接続構成要素部を備え、接続構成要素部の寸法は、所与の携帯メディアプレーヤに合わせて調節することができる。携帯メディア再生システムはまた映像出力コネクタ、サブウーファ、およびパッシブラジエータを備える。【選択図】図２
2011253195.tif 000002
【特許請求の範囲】
【請求項１】
携帯メディア再生システムであって、
第１の面および第２の面を有するハウジングと、
音声再生用の少なくとも１つのスピーカと、
携帯メディアプレーヤを受け入れるために前記ハウジングの前記第１の面に作動可能に連結された調節可能な接続構成要素部であって、少なくとも前記接続構成要素部の奥行きが、前記携帯メディアプレーヤを収容するために調節可能である接続構成要素部と、を備える携帯メディア再生システム。
【請求項２】
請求項１に記載の携帯メディア再生システムであって、前記調節可能な接続構成要素部の幅も調節可能である、携帯メディア再生システム。
【請求項３】
請求項１に記載の携帯メディア再生システムであって、前記調節可能な接続構成要素部の高さも調節可能である、携帯メディア再生システム。
【請求項４】
請求項２に記載の携帯メディア再生システムであって、前記調節可能な接続構成要素部の高さも調節可能である、携帯メディア再生システム。
【請求項５】
請求項１に記載の携帯メディア再生システムであって、前記調節可能な接続構成要素部が、柔開閉技法を用いて前記ハウジングに作動可能に連結される、携帯メディア再生システム。
【請求項６】
請求項１に記載の携帯メディア再生システムであって、前記調節可能な接続構成要素部が、レバーによって台に作動可能に連結されたシューを備え、前記レバーが、前記シューの奥行きを調節する、携帯メディア再生システム。
【請求項７】
請求項６に記載の携帯メディア再生システムであって、前記レバーを摺動させることによって、前記シューの奥行きが調節される、携帯メディア再生システム。
【請求項８】
請求項６に記載の携帯メディア再生システムであって、前記レバーを回転させることによって、前記シューの奥行きが調節される、携帯メディア再生システム。
【請求項９】
請求項６に記載の携帯メディア再生システムであって、
前記レバーが、内側面と、外側面とを備え、前記内側面がそこから延出する複数の隆起ノッチを有し、携帯メディア再生システムが、前記シューに連結された少なくとも１つの静止柱をさらに備え、前記少なくとも１つの静止柱が少なくとも１つの前記隆起ノッチに接触するように配置されている、携帯メディア再生システム。
【請求項１０】
請求項９に記載の携帯メディア再生システムであって、リテーナをさらに備え、前記リテーナが複数のノッチを有し、前記シューが複数のリテーナクリップをさらに備え、前記リテーナクリップが前記リテーナの前記複数のノッチに対合する、携帯メディア再生システム。
【請求項１１】
請求項１０に記載の携帯メディア再生システムであって、前記複数のリテーナクリップと前記リテーナとの間に作動可能に挿入されたばねをさらに備える、携帯メディア再生システム。
【請求項１２】
請求項９に記載の携帯メディア再生システムであって、前記隆起ノッチがそれぞれ異なる高さにある、携帯メディア再生システム。
【請求項１３】
請求項１２に記載の携帯メディア再生システムであって、複数の静止柱をさらに備え、前記静止柱のそれぞれは、携帯メディア装置が前記調節可能な接続構成要素部に挿入されたとき、前記シューの表面が前記携帯メディア装置と実質的に共面を保つように選択された長さになっている、携帯メディア再生システム。
【請求項１４】
請求項１に記載の携帯メディア再生システムであって、前記調節可能な接続構成要素部が、台に移動可能に連結されたシューを備え、レバーが、前記シューの奥行きを調節する、携帯メディア再生システム。
【請求項１５】
請求項１４に記載の携帯メディア再生システムであって、前記シューが、前記調節可能な接続構成要素部内に円周方向に配置された実質的に傾斜しているスロープと、前記スロープに接触している対合構成部品とを備える装置によって前記台に移動可能に連結され、前記レバーが、前記スロープと前記対合構成部品との配向を変化させることによって前記シューの奥行きを調節する、携帯メディア再生システム。
【請求項１６】
請求項１５に記載の携帯メディア再生システムであって、前記レバーを複数の位置で保持する固定構造をさらに備える、携帯メディア再生システム。
【請求項１７】
請求項１６に記載の携帯メディア再生システムであって、前記固定構造が、前記傾斜したスロープの表面にスカロップを形成するスキップを含む、携帯メディア再生システム。
【請求項１８】
請求項１７に記載の携帯メディア再生システムであって、前記スロープと対合構成部品との係合を付勢するために、ばね手段をさらに備える、携帯メディア再生システム。
【請求項１９】
請求項１に記載の携帯メディア再生システムであって、前記調節可能な接続構成要素部内のコネクタであって、携帯メディアプレーヤが前記接続構成要素部に受け入れられるとき、前記携帯メディアプレーヤを電気的に係合するようになされたコネクタと、
携帯メディアプレーヤが前記コネクタと電気的に係合させられたとき、前記携帯メディアプレーヤによって生成される音声信号の増幅が行えるようになされた増幅器と、
前記増幅器を駆動する電源と、をさらに備える、携帯メディア再生システム。
【請求項２０】
請求項１９に記載の携帯メディア再生システムであって、前記電源が少なくとも１つのバッテリを備える、携帯メディア再生システム。
【請求項２１】
請求項２０に記載の携帯メディア再生システムであって、前記少なくとも１つのバッテリが充電式である、携帯メディア再生システム。
【請求項２２】
請求項１９に記載の携帯音声再生システムであって、前記少なくとも１つの電源がＤＣ電源である、携帯音声再生システム。
【請求項２３】
請求項１９に記載の携帯音声再生システムであって、前記少なくとも１つの電源がＡＣ電源である、携帯音声再生システム。
【請求項２４】
請求項１９に記載の携帯音声再生システムであって、遠隔操作部をさらに備え、前記遠隔操作部は、携帯メディアプレーヤが前記コネクタと電気的に係合させられたとき、前記携帯メディアプレーヤの少なくとも１つの機能を制御するようになされている、携帯音声再生システム。
【請求項２５】
携帯メディア再生システムであって、
第１の面および第２の面を有するハウジングと、
携帯メディアプレーヤを受け入れるための、前記第１の面にある接続構成要素部であって、携帯メディアプレーヤを受け入れる開位置と、前記携帯メディアプレーヤを保持する閉位置とを有する接続構成要素部と、
音声再生用の少なくとも１つのスピーカと、
少なくとも１つの映像出力コネクタと、を備える携帯メディア再生システム。
【請求項２６】
請求項２５に記載の携帯メディア再生システムであって、前記少なくとも１つの映像出力コネクタがＳビデオコネクタである、携帯メディア再生システム。
【請求項２７】
請求項２５に記載の携帯メディア再生システムであって、前記少なくとも１つのビデオ出力コネクタが複合ビデオコネクタである、携帯メディア再生システム。
【請求項２８】
携帯メディア再生システムであって、
空洞を有する筐体と、
携帯メディアプレーヤを受け入れるための接続構成要素部であって、前記筐体と作動可能に係合する接続構成要素部と、
前記筐体に取り付けられた複数のアクティブスピーカ部品であって、前記複数のアクティブスピーカ部品のうちの少なくとも２つが、実質的に互いに同一面内に配置されている複数のアクティブスピーカ部品と、
前記筐体に取り付けられた少なくとも１つの前記複数のアクティブスピーカ部品であって、使用中、前記筐体内の空気を圧縮、膨張させるように配置された、前記少なくとも１つの複数のアクティブスピーカ部品と、
前記筐体に取り付けられた少なくとも１つのパッシブスピーカ部品であって、空気圧に応答して動作するようになされた少なくとも１つのパッシブスピーカ部品と、を備え、
前記筐体の空洞は、少なくとも前記サブウーファおよびパッシブラジエータによって保護され、湿気および異物が前記空洞内に侵入するのを防ぐ実質的な封止環境を有する、携帯メディア再生システム。
【請求項２９】
携帯メディア再生システムであって、
第１の端部と、第２の端部とを有する全体的に円筒形のハウジングであって、可動支持構造によって形成される区画をその中に有する、全体的に円筒形のハウジングを備え、
前記可動支持構造は、開位置および閉位置を有し、閉位置で携帯メディアプレーヤを格納しそれに電気的に係合するようになされ、
さらに、前記携帯メディア再生システムは、
前記第１の端部に装着された少なくとも１つのアクティブスピーカ部品と、
前記第１の端部に対して７０度と１１０度との間の角度で配向された少なくとも１つのアクティブスピーカ部品と、
前記全体的に円筒形のハウジング内に収納された増幅器であって、前記可動支持構造に電気的に係合された携帯メディアプレーヤによって生成される音声信号を増幅し、増幅された音声信号を、前記第１の端部に装着された前記少なくとも１つのアクティブスピーカ部品および前記第１の端部に対して７０度と１１０度との間の角度で配向された前記少なくとも１つのアクティブスピーカ部品に送信する増幅器と、を備える携帯メディア再生システム。
【請求項３０】
請求項２９に記載の携帯メディア再生システムであって、前記第１の端部に対して７０度と１１０度との間の角度で配向された第２のアクティブスピーカ部品をさらに備える、携帯メディア再生システム。
【請求項３１】
請求項２９に記載の携帯メディア再生システムであって、前記第２の端部に装着された
少なくとも１つのパッシブスピーカ部品をさらに備える、携帯メディア再生システム。
【発明の詳細な説明】
【技術分野】
【０００１】
本発明は、携帯メディア再生装置の分野に関し、詳細には、音声信号を再生するための携帯装置に関する。
【背景技術】
【０００２】
この出願は、２００５年５月３１日出願の米国仮出願第６０／６８５，４１５号および２００５年９月７日出願の実用新案出願第１１／２４４，９２８号について優先権を主張するものであり、それらの開示全体が、参照により本発明に組み込まれる。この出願は、著作権が保護されている素材を含んでいる。著作権者は、それが特許商標庁の書類または記録に記載される限り、何人による特許開示の複写複製に対しても異議は唱えられない。ただし、その他の場合にはいかなるときも全ての著作権を保有する。
【０００３】
ここ数十年間、音声および映像再生装置、特に様々な音声トラックを利用者と共にある場所から別の場所に搬送または移送することができる装置に著しい進歩が見られる。この種装置には、たとえば、音声トラックをデジタル式に記録、編集、ミキシング、制作、記憶および再生するための装置が含まれる。デジタルファイルには、いくつかの理由による利点がある。それら利点には、ファイル上の実行エラー修正アルゴリズムによって、ファイル内の音声トラックデータが適正に記憶されていることを保証できることが含まれ、それは、たとえ元の記録媒体がエラーを生じ、またはコピー過程でエラーが生じても音声が忠実に再生されることを意味する。デジタルファイルの別の利点は、再生装置が、音声トラックを再生する速度を精密に制御でき、それにより安定した再生を効果的に保証できることである。
【０００４】
近年、音声トラックを記録するための新しいアルゴリズムが出現してきた。より普及しているこれら新しい音声トラック記録アルゴリズムの１つは、一般に「ＭＰ３」アルゴリズムと呼ばれるＭｏｔｉｏｎ  Ｐｉｃｔｕｒｅ  Ｅｎｔｅｒｔａｉｎｍｅｎｔ  Ｇｒｏｕｐのレベル３アルゴリズムである。ＭＰ３アルゴリズムは、ＣＤに使用されるものより著しく小さいデジタル音声トラックファイルを生成するために、利用者が音声トラックを記録するときに音声トラックサンプリングレートを変えることを可能にし、所与の周波数域を表現するのに使用されるビット数を変化させることなどを含む様々な技法を使用している。これは、利用者が、以前に可能であったよりも多くの音声データファイルを所与の媒体上で持ち運ぶことができることを意味する。たとえば、典型的な７２分の音声ＣＤは、約６５０ＭＢのデータを保持する。選択された圧縮方法に応じて、６５０ＭＢのＣＤ−ＲＯＭは、圧縮された数時間の音楽に対する十分な容量を有することになる。
【０００５】
デジタル記憶容量は増加し続け、圧縮アルゴリズムは進歩し続けるので、利用者は益々多くの好きな曲を持ち運べるようになる。この結果、それには限定されないがデジタルカメラ、携帯情報端末（「ＰＤＡ」）、無線電話などを含む、増加し続ける一連の音声発生装置に音声トラック再生能力が組み込まれるようになってきた。一般に携帯メディアプレーヤ（「ＰＭＰ」）と呼ばれる、圧縮音声トラックの再生に圧倒的に使用される他のいくつかの装置が、市場に導入されてきた。最も普及しているＰＭＰの１つが、米国カリフォルニア州クパチーノのＡｐｐｌｅ  Ｃｏｍｐｕｔｅｒ，Ｉｎｃ．によって販売されているｉＰｏｄである。ｉＰｏｄは、比較的小さな形状係数をもちながら、ＰＭＰ内に格納されたハードディスクドライブに高ギガバイトの音声ファイルおよび他の情報を記憶することができるので、普及するようになってきた。別のＰＭＰではさらに、装置に組み込まれた小さなディスプレイ上に再生用の映像情報を記憶する。
【発明の概要】
【発明が解決しようとする課題】
【０００６】
現在入手可能な音声装置の大部分は、携帯性に優れ、一つ一つが比較的多数の音声トラックを担持できるように設計されている。しかし、これら装置の設計が携帯性を中心としているので、製造業者は、音声装置に差し込まれるモノラルまたはステレオヘッドホンのみを通して利用者に再生音声を提供するように音声装置を限定する傾向がある。これは、
最善でも、これら音声装置は、複数の利用者がヘッドホンを装置に差し込むことができるように１つまたは複数の分配器が使用される場合などにのみ、限られた数の利用者に対して音声トラックを再生するのに使用することができることを意味する。しかし、これら音声装置は、通常バッテリ電源駆動であるので、複数対のヘッドホンを駆動するのに十分なエネルギーを発生することができない。さらに、ただ１つの装置に接続される利用者の数が１人または２人を超えて増加すると、装置の携帯性が限定される。
【０００７】
ある従来技術よって代替的に用いられた１つの方法は、携帯メディアプレーヤに利用者がスピーカを取り付けられるようにすることである。これにより、複数の利用者が同時に音声トラックを聴くことができる。音声装置の出力は通常比較的低いので、外部電源によって駆動される増幅器をスピーカが備えると、有利になることが多い。ある従来技術は、携帯音声再生装置に使用する比較的小さな、バッテリ駆動または交流（ＡＣ）駆動スピーカを生み出した。これらスピーカは移送中、物理的に厳しい取扱いを多く受けがちであり、スピーカを音声装置に接続するのに用いるケーブルおよびアダプタがそのような厳しい取扱いに耐えられないことが多い。
【０００８】
市場に提供された１つの解決法は、米国ペンシルベニア州ミルフォードのＡｌｔｅｃ  Ｌａｎｓｉｎｇ  Ｔｅｃｈｎｏｌｏｇｉｅｓ，Ｉｎｃ．から市販され、２００４年４月３０日出願の米国特許出願第１０／８３６，１１３号に記載の最初のｉｎＭｏｔｉｏｎ（商標）である。同特許出願の開示全体は参照により本明細書に組み込まれる。ｉｎＭｏｔｉｏｎ（商標）は、スピーカ駆動部を移送中保護するために折りたためる比較的軽量小型の携帯用パッケージ中に携帯メディアプレーヤ用接続部と共に組み込まれた電波駆動スピーカを最初に提供した草分け的製品である。ｉｎＭｏｔｉｏｎ（商標）は再生音質、堅牢性、重量、携帯性、大きさ、および使い易さに関して多大な利点を発揮したが、これら特性のそれぞれに改良の余地がまだ残っている。
【課題を解決するための手段】
【０００９】
本発明は、関連する技術の１つまたは複数の限界が実質的に取り除かれる携帯メディア再生システムを対象とする。
本発明の目的は、ＰＭＰと共に使用する携帯メディア再生システムを提供することであり、この携帯メディア再生システムでは、少なくとも１つのスピーカ、サブウーファ、または他の音声再生装置がハウジング内に組み込まれており、ハウジングはまた、それに作動可能に接続された接続構成要素部を有し、接続構成要素部は、その中にＰＭＰが確実に着座することができ、様々な奥行きを含む様々な寸法のＰＭＰで携帯メディア再生システムが作動可能になるように調節可能である。
【００１０】
本発明の他の目的は、ハウジング内に組み込まれた少なくとも１つの音声再生装置から構成される携帯メディア再生システムを提供することであり、ハウジングはまた、それに作動可能に接続された接続構成要素部、および少なくとも１つの映像出力コネクタを有する。
【００１１】
本発明のさらに他の目的は、ＰＭＰと共に使用する携帯メディア再生システムを提供することであり、携帯メディア再生システムは、ＰＭＰ用の接続構成要素部を備え、複数のアクティブスピーカ部品が、ハウジングの第１の面と実質的に同一面内に配置される。この実施形態では、サブウーファおよび少なくとも１つのパッシブラジエータもハウジングに組み込まれ、サブウーファおよび少なくとも１つのパッシブラジエータは、第１の面に実質的に垂直になるように配列される。
【００１２】
以上の一般的な説明および以下の詳細説明は共に、例示および説明のためのものであり、特許請求の範囲に記載される本発明のさらに詳しい説明を加えるためのものであることを理解されたい。本発明の別の特徴および利点は、以下の説明に記載されており、一部はこの説明から明白であり、あるいは本発明を実施することにより学び取ることができる。本発明の目的および他の利点は、本書類に記載される説明および特許請求の範囲ならびに添付図面に詳細に示される構造よって理解され達成されるであろう。
【００１３】
本発明のさらに詳細な理解をもたらすために含まれ、この明細書の一部に組み込まれ、その一部を構成する添付図面は、本発明の実施形態を示し、説明とあいまって本発明の少
なくとも一実施形態の原理を説明する働きをする。
【図面の簡単な説明】
【００１４】
【図１】本発明の一実施形態による携帯メディア再生システムの正面図である。
【図２】本発明の一実施形態による携帯メディア再生システムの前視透視図である。
【図３】本発明の一実施形態による携帯メディア再生システムの背面図である。
【図４】本発明の一実施形態による携帯メディア再生システムの側面図である。
【図５】本発明の一実施形態による携帯メディア再生システムの後視切欠透視図である。
【図６】本発明の一実施形態による接続構成要素部の前視透視図である。
【図７】本発明の一実施形態による接続構成要素部の組立分解透視図である。
【図８ａ】本発明の一実施形態による接続構成要素部の、圧縮状態での前面図である。
【図８ｂ】図８ａに示した接続構成要素部の左側面切欠図である。
【図９ａ】本発明の一実施形態による接続構成要素部の、部分的延伸状態での前面図である。
【図９ｂ】図９ａに示した接続構成要素部の左側面切欠図である。
【発明を実施するための形態】
【００１５】
次に、その例が添付図面に示されている本発明の好ましい実施形態について詳細に言及する。明確化のために、対応するフィーチャは、図に示された本発明の様々な図を通して一貫して符合が付されている。
【００１６】
図１および２は、前面５０、左側面６０、右側面６５、および背面１００（図３）を有する携帯メディア再生システムハウジング１０を示す。図示された実施形態では、前面５０は、前面５０と実質的に同一面内に配置された左スピーカアレイ６２および右スピーカアレイ５２を有する。本明細書では実質的に同一平面内の配置が開示されているが、本発明の精神および範囲から逸脱することなく、左スピーカアレイ６２および右スピーカアレイ６２を別の配置に配列し、または個々にもしくは一緒にして連接式にすることができることは当業者には明らかであろう。
【００１７】
図１および２に示された実施形態では、前面５０はまた、利用者が図６に示されたＰＭＰ接続構成要素部１３５にそれを通ってアクセスすることができる扉１７を備える。ＰＭＰ接続構成要素部１３５は、ＰＭＰ１５を携帯メディア再生システム１０にそれを介して接続することができる１つまたは複数の相互接続部を含むことができる。図示の実施形態では、そのような相互接続部は雄接続ポートを備え、その雄接続ポートはＰＭＰ１５の底部にあるそれと同等な雌接続ポートに対合することができる。ただし、本発明の精神または範囲から逸脱することなく、その代わりに別の接続部で置き換えることができることは当業者には明らかであろう。例として、別の相互接続法には、それらに限定されないが、ＢｌｕｅＴｏｏｔｈ（商標）または他の無線接続技法、ならびにＲＣＡ、ＤＩＮ、ＭＩＮＩ−ＤＩＮ、ステレオミニプラグ、または他のコネクタなどを用いたものなどの有線接続部を含めることができる。これにより、携帯メディア再生システム１０は、それらに限定されないが、携帯電話、衛星ラジオ受信機、デジタルラジオ受信機、通常のラジオ受信機、ＣＤプレーヤ、携帯情報端末、デジタルカメラ、または他の携帯用音声および／または映像装置を含む様々な装置と共に使用することができるようになる。
【００１８】
図４に示された実施形態では、左および右のスピーカアレイ６２、５２はそれぞれ、７．６２ｃｍ（３インチ）全域ネオジムドライバ３０７、３０８および２．５４ｃｍ（１インチ）ネオジムツィータ３０９、３１０を有する。ただし、本発明の精神または範囲から逸脱することなく、それらの代わりに別の音声再生装置で置き換えることができることは当業者には明らかであろう。図示された実施形態では、左および右のスピーカアレイ６２、５２はまた、ドライバ３０７、３０８およびツィータ３０９、３１０を保護するために有孔保護板またはスクリーンで覆われている。
【００１９】
図示された実施形態では、携帯メディア再生システム１０はまた、少なくとも１つの１０．１６ｃｍ（４インチ）サイドファイアリング・サブウーファ３１１を備える。サブウ
ーファ３１１は、有孔保護板またはスクリーン６４で保護され得る。サブウーファ３１１はサイドファイアリング・サブウーファなので、サブウーファ３１１の前面は、携帯メディア再生システム１０によって再生されるメディアを聴いている利用者または他の人物に直接向ける必要はない。したがって、図示の実施形態では、サブウーファ３１１の前面は、前面５０の面に実質的に垂直に配置されている。これにより、携帯メディア再生システム１０は、音質を犠牲にすることなくより小型にすることができる。
【００２０】
音を再生するのに必要ではないが、図示された携帯メディア再生システム１０の実施形態はまた、パッシブラジエータ６７を備える。パッシブラジエータ６７は、サブウーファ３１１の背後から発生する音波を携帯メディア再生システム１０の外へ伝播させるようにし、それによりシステムの知覚低音応答がさらに改善される。パッシブラジエータ６７を使用すると、スピーカ筐体にポートを設けるのとは逆に、本発明の実施形態を封止することができる。携帯メディア再生システム１０は携帯式なので、封止環境は、湿気や異物が筐体内に入るのを防止することができる。そのような予防設計が、内部電子回路を含めてシステム１０の構成部品を保護する。
【００２１】
携帯メディア再生システム１０はまた、制御パネル１９を備え得る。図示された実施形態では、制御パネル１９は、複数の膜タイプのボタンを備える。それらボタンは、電源、マスターボリューム、低音増幅レベル、高音増幅レベルなどを含む携帯メディア再生システム１０の様々な機能を、それらに限定はされないが、利用者が制御できるようにする。制御パネル１９にはまた、それを介してＰＭＰ１５に関連する機能を制御することができる便利なインターフェースを設けることができる。それら機能には、再生開始、再生終了および／または一時停止、再生早送り、新たな音声または映像トラックへのスキップが、それらに限定はされないが、含まれる。
【００２２】
図１および２に示されるように、本発明の一実施形態は、実質的に円筒形であり得る。そのような実施形態が、所定の面上に置かれたとき転がらずに保たれるのを助けるために、携帯メディア再生システムは、１つまたは複数の足５５、５７を有し得る。
【００２３】
図３は、携帯メディア再生システム１０の実施形態の背面図である。図示された実施形態では、背面１００は、携帯メディア再生システム１０の搬送を容易にするために、陥凹ハンドル１０５を備える。背面１００はまた、ジャックパネル１１２を備え得る。ジャックパネル１１２は、携帯メディア再生システム１０を、電源ジャック１１５、Ｓビデオジャック１１３、複合ジャック１１４４、ヘッドホンジャック１１６、および補助出力ジャック１１７を含む様々なコネクタを介して別の外部装置に接続することができる。ただし、本発明の精神または範囲から逸脱することなく、それらの代わりに別のコネクタで置き換えることができることは当業者には明らかであろう。
【００２４】
電源ジャック１１５は、携帯メディア再生装置１０をＡＣ−ＤＣコンバータまたは他の外部電源に接続することができる。電源ジャック１１５によって、携帯メディア再生システム１０が、それらに限定されないが、ＡＣ−ＤＣコンバータまたは外部バッテリパックなどの外部電源から電力を供給され得ることが好ましい。外部電源から電力を受け取ることに加えて、携帯メディア再生システム１０はまた、携帯メディア再生システム１０内に好ましくは格納された１つまたは複数のバッテリによって駆動できることが好ましい。それに限定されないが、リチウムイオンバッテリなどの充電式バッテリが最近では好ましいが、本発明の精神または範囲から逸脱することなく、それに代わって使い捨て電池で置き換えることができることは当業者には明らかであろう。
【００２５】
ＰＭＰ１５が接続構成要素部１３５に挿入されると、ＰＭＰ１５は携帯メディア再生システム１０によって電力供給され得る。ある実施形態では、携帯メディア再生システム１０は、携帯メディア再生システム１０が、それらには限定されないが、ＡＣ−ＤＣコンバータ、または携帯メディア再生システム１０に電力供給することができる外部装置などの外部電源から電力を受け取っているときにのみ、ＰＭＰ１５に電力を供給することができる。別の実施形態では、携帯メディア再生システム１０は、携帯メディア再生システム１０が外部電源からの電力で作動しているか内部のバッテリからの電力で作動しているかに関係なく、ＰＭＰ１５に電力を供給することができる。ＰＭＰ１５を作動させることに加
えて、携帯メディア再生システム１０によってＰＭＰ１５に供給される電力は、ＰＭＰ１５に、その中に格納されている充電式バッテリを充電させることもできる。
【００２６】
電力アダプタ、外部から接続された装置、および／またはバッテリはまた、携帯メディア再生システム１０内に収容されている少なくとも１つのＤ級または他の音声増幅器３０１〜３０４、ならびにシステムの他の機能を駆動するのに使用することができる。Ｄ級増幅器は、この種増幅器に付随する比較的高い効率ゆえに有利である。そのような効率は、従来の増幅器より低い電力消費をもたらし、それによってシステムのバッテリ寿命を改善する。増幅器は、好ましくは、メディア装置からの音声信号を、スピーカを駆動することができる信号に変換するのに用いられる。
【００２７】
図示された背面１００の実施形態はまた、遠隔制御部（図示せず）を格納するための陥凹部を備える。図示された実施形態では、そのような遠隔制御部によって、使用者は、制御パネル１９に関連して上に記載したのと同じ機能を制御することができる。別の実施形態では、使用者は、制御パネル１９に関連して上に記載したサブセットの機能を制御することができる。さらに別の実施形態では、遠隔制御部によって、使用者は、制御パネル１９を介しては行えない機能の制御ができる。
【００２８】
図６および７を参照すると、ラッチ８０が、接続構成要素部１３５を摩擦によって閉位置に保持する。接続構成要素部１３５の扉１７をラッチ８０に向かって押すことによって、接続構成要素部１３５は、ラッチ８０から解放される。接続構成要素部１３５は、柔開閉技法を用いて開けることができる。そのような技法の一実施形態では、スプリング機構（図示せず）が、ダンピング機構７２５とあいまって、接続構成要素部１３５を緩やかに開位置に関節運動させ、それによって、接続構成要素部１３５がその行程の終端に達したときに普通なら生じる突然の衝撃をＰＭＰ１５が蒙るのを回避する。
【００２９】
ＰＭＰが接続構成要素部１３５内に装着されたとき、ＰＭＰの背面が、シュー１３７に寄り掛かることができる。図６〜９ｂに示された実施形態では、接続構成要素部１３５の奥行きは、移動レバー１３１によって調節することができる。図示された実施形態では、レバー１３１は、レバー台１３３内で約７５度にわたって回転可能である。移動レバー１３１は、シュー１３７を内または外へ移動させる。この機能は、図示された実施形態では、シュー１３７に複数の静止柱７２５を設けることによって達成され、そのような柱それぞれは、シュー１３７の表面がＰＭＰの背面に対して実質的に平行に保たれるように、異なる長さになっている。静止柱７２５は、レバー１３１上の傾斜面７２０に刻まれたスカロップ仕上げ縁部中に嵌るように設計されている。レバー１３１が操作されると、傾斜面が静止柱７２５の下で回転し、シュー１３７を内または外へ移動させる。ばね７０５をリテーナクリップ７３５（図８ｂおよび９ｂ参照）とリテーナ７１５との間に配置することによって、ばね７０５がリテーナ７１５に対して力を加えることができ、それによって、シュー１３７をレバー１３１のスカロップ仕上げ縁部に引き込む。
【００３０】
上記の開示は接続構成要素部１３５の奥行きの調節に着目しているが、同様な技法を接続構成要素部１３５の幅および高さを調節するのにも用いることができることが当業者には明らかであろう。本発明の精神または範囲から逸脱することなく、レバー１３１および静止柱７２５の代わりに膨張チューブを用いるなどの、接続構成要素部１３５の寸法を調節する代替技法でレバー１３１を置き換えることができることは当業者には明らかであろう。
【００３１】
本発明が、その特定の実施形態を参照して詳細に記載されてきたが、本発明の精神および範囲から逸脱することなく、それに様々な変形および変更を加えることができることは当業者には明らかであろう。したがって、本発明は、この発明の変更および変形が添付特許請求の範囲およびその均等物に含まれる限り、それらを包含するものである。
【図１】
2011253195.tif 000003
【図２】
2011253195.tif 000004
【図３】
2011253195.tif 000005
【図４】
2011253195.tif 000006
【図５】
2011253195.tif 000007
【図６】
2011253195.tif 000008
【図７】
2011253195.tif 000009
【図８ａ】
2011253195.tif 000010
【図８ｂ】
2011253195.tif 000011
【図９ａ】
2011253195.tif 000012
【図９ｂ】
2011253195.tif 000013
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
携帯メディア再生システムであって、
第１の面および第２の面を有するハウジングと、
携帯メディアプレーヤを受け入れるための、前記第１の面にある接続構成要素部であって、携帯メディアプレーヤを受け入れる開位置と、前記携帯メディアプレーヤを保持する閉位置とを有する接続構成要素部と、
音声再生用の少なくとも１つのスピーカと、
少なくとも１つの映像出力コネクタと、を備える携帯メディア再生システム。
【請求項２】
請求項１に記載の携帯メディア再生システムであって、前記少なくとも１つの映像出力コネクタがＳビデオコネクタである、携帯メディア再生システム。
【請求項３】
請求項１に記載の携帯メディア再生システムであって、前記少なくとも１つのビデオ出力コネクタが複合ビデオコネクタである、携帯メディア再生システム。
【請求項４】
携帯メディア再生システムであって、
空洞を有する筐体と、
携帯メディアプレーヤを受け入れるための接続構成要素部であって、前記筐体と作動可能に係合する接続構成要素部と、
前記筐体に取り付けられた複数のアクティブスピーカ部品であって、前記複数のアクティブスピーカ部品のうちの少なくとも２つが、実質的に互いに同一面内に配置されている複数のアクティブスピーカ部品と、
前記筐体に取り付けられた少なくとも１つの前記複数のアクティブスピーカ部品であって、使用中、前記筐体内の空気を圧縮、膨張させるように配置された、前記少なくとも１つの複数のアクティブスピーカ部品と、
前記筐体に取り付けられた少なくとも１つのパッシブスピーカ部品であって、空気圧に応答して動作するようになされた少なくとも１つのパッシブスピーカ部品と、を備え、
前記筐体の空洞は、少なくとも前記サブウーファおよびパッシブラジエータによって保護され、湿気および異物が前記空洞内に侵入するのを防ぐ実質的な封止環境を有する、携帯メディア再生システム。
【請求項５】
携帯メディア再生システムであって、
第１の端部と、第２の端部とを有する全体的に円筒形のハウジングであって、可動支持構造によって形成される区画をその中に有する、全体的に円筒形のハウジングを備え、
前記可動支持構造は、開位置および閉位置を有し、閉位置で携帯メディアプレーヤを格納しそれに電気的に係合するようになされ、
さらに、前記携帯メディア再生システムは、
前記第１の端部に装着された少なくとも１つのアクティブスピーカ部品と、
前記第１の端部に対して７０度と１１０度との間の角度で配向された少なくとも１つのアクティブスピーカ部品と、
前記全体的に円筒形のハウジング内に収納された増幅器であって、前記可動支持構造に電気的に係合された携帯メディアプレーヤによって生成される音声信号を増幅し、増幅された音声信号を、前記第１の端部に装着された前記少なくとも１つのアクティブスピーカ部品および前記第１の端部に対して７０度と１１０度との間の角度で配向された前記少なくとも１つのアクティブスピーカ部品に送信する増幅器と、を備える携帯メディア再生システム。
【請求項６】
請求項５に記載の携帯メディア再生システムであって、前記第１の端部に対して７０度と１１０度との間の角度で配向された第２のアクティブスピーカ部品をさらに備える、携帯メディア再生システム。
【請求項７】
請求項５に記載の携帯メディア再生システムであって、前記第２の端部に装着された少なくとも１つのパッシブスピーカ部品をさらに備える、携帯メディア再生システム。
【外国語明細書】
2011253195000001.pdf